(57)【要約】【課題】  うちわ本来の送風機能や紙おしぼり本来の清浄化機能等を阻害することなく、紙おしぼりとうちわとを一体化して、その取り扱い、使い勝手、利便性等を向上すると共に、必要時に紙おしぼりをうちわから取出して簡単に使用することのできるおしぼり付きうちわの提供【解決手段】  おしぼり付きうちわは、平板状をなす送風部１０と、送風部１０の一対のシート体１０Ａ，１０Ｂ間の収納部１１に一体的に設けられ、所定態様で折畳んだ紙おしぼり２１及び紙おしぼり２１を収容する液密及び気密の袋状をなす包装体２２とを含む紙おしぼり包装物２０とを備える。【選択図】  図１
0003108194.tif 000002
【実用新案登録請求の範囲】
【請求項１】
平板状をなす送風部と、
前記送風部に一体的に設けた紙おしぼりと
を備えることを特徴とするおしぼり付きうちわ。
【請求項２】
前記送風部は、前記紙おしぼりを収納するための空間を形成する収納部と、前記収納部に対応して設けられ、前記収納部から前記紙おしぼりを取出すべく開封自在とされた取出口部とを含み、
前記送風部の収納部は、前記取出口部の非開封状態では前記紙おしぼりを液密及び気密状態で収納自在であることを特徴とする請求項１記載のおしぼり付きうちわ。
【請求項３】
平板状をなす送風部と、
前記送風部に一体的に設けられ、所定態様で折畳んだ紙おしぼり及び前記紙おしぼりを収容する液密及び気密の袋状をなす包装体とを含む紙おしぼり包装物と
を備えることを特徴とするおしぼり付きうちわ。
【請求項４】
前記送風部は、前記紙おしぼり包装物を収納する収納部と、前記収納部に対応して設けられ、前記収納部から前記紙おしぼり包装物を取出すべく開封自在とされた取出口部とを含むことを特徴とする請求項３記載のおしぼり付きうちわ。
【請求項５】
前記送風部は、同一平面形状の一対のシート体を互いに貼着することにより、前記平板状となるよう一体形成されると共に、前記一対のシート体を、前記紙おしぼり包装物に略相当する面積部分のみ残して互いに貼着することにより、前記面積部分を非貼着部としてその非貼着部により前記収納部を形成し、更に、前記収納部における前記一対のシート体の少なくとも一方に前記取出口部を形成したことを特徴とする請求項４記載のおしぼり付きうちわ。
【請求項６】
前記収納部の取出口部は、前記紙おしぼり包装物の外形に対応する長方形状の外形を有し、その長方形状の１辺をヒンジ部とすると共に他の３辺を切離し自在な切離部とし、前記３辺の切離部を切離すことにより前記ヒンジ部を介して開封自在とされていることを特徴とする請求項４または５記載のおしぼり付きうちわ。
【請求項７】
前記収納部の取出口部は、前記紙おしぼり包装物の外形に対応する長方形状の外形を有し、その長方形状の４辺全てを切離し自在な切離部とし、前記４辺の切離部を切離すことにより前記収納部を開封自在とされていることを特徴とする請求項４または５記載のおしぼり付きうちわ。
【請求項８】
前記収納部の取出口部は、その略中央部を切り抜くことにより、内部に収納した前記紙おしぼり包装物を外部に露出して視認自在とする視認窓を形成することを特徴とする請求項６または７記載のおしぼり付きうちわ。
【請求項９】
前記紙おしぼり包装物は、前記紙おしぼりを前記包装体内に真空状態で包装したものであり、
前記送風部は、前記一対のシート体間において前記収納部に対応する部分に前記紙おしぼり包装物を配置し、前記一対のシート体において前記収納部以外の部分を互いに圧着して一体化することにより前記平板状とされると共に、前記紙おしぼり包装物を前記収納部に収納したものであることを特徴とする請求項５乃至８のいずれか１項記載のおしぼり付きうちわ。
【請求項１０】
前記紙おしぼり包装物は、前記紙おしぼりを長方形状に折畳むと共に、前記包装体を前記紙おしぼりの長方形状より大きな長さ寸法の長方形状の袋状とし、前記包装体の長さ方向略中央に前記長方形状に折畳んだ紙おしぼりを配置した状態で、前記紙おしぼりを前記包装体内部に収容したものであり、
前記送風部の収納部は、前記紙おしぼり包装物の包装体の外形を完全に内包自在な大きさの略長方形状の外形を有し、
前記送風部は、前記一対のシート体の内面において前記収納部以外の略全面に接着剤または粘着剤を塗布した状態で前記一対のシート体を互いに重ね合わせると共に、前記収納部が前記紙おしぼり包装物の包装体を完全に内包し、かつ、少なくとも、前記収納部の外周縁と前記紙おしぼり包装物の包装体内の紙おしぼりの外周縁との間に、所定の間隙が形成されるようにした状態で、前記一対のシート体の外面において前記収納部以外の全面と、前記収納部の外周縁から前記所定の間隙部分の少なくとも一部にわたる部分とをプレスすることにより、前記一対のシート体を互いに接着または粘着して貼着したものであることを特徴とする請求項９記載のおしぼり付きうちわ。
【請求項１１】
前記送風部は、前記紙おしぼり包装物の紙おしぼりの外周縁を前記取出口部の外周縁の内側に完全に配置し、かつ、前記紙おしぼり包装物の包装体の外周縁の少なくとも一部を前記収納部の外周縁と前記取出口部の外周縁との間の範囲に配置した状態で、前記一対のシート体の外面において前記収納部以外の全面と、前記収納部の外周縁と前記取出口部の外周縁との間の範囲の少なくとも一部とをプレスすることにより、前記一対のシート体を互いに接着または粘着して貼着し、前記取出口部を開封したときに、前記紙おしぼり包装物の包装体の外周縁部の少なくとも一部が、前記送風部において前記収納部の外周縁と前記取出口部の外周縁との間の範囲の部分に係止されるようにしたことを特徴とする請求項１０記載のおしぼり付きうちわ。
【請求項１２】
前記紙おしぼり包装物は、前記紙おしぼりを長方形状に折畳むと共に、前記包装体を前記紙おしぼりの長方形状より大きな長さ寸法の長方形状の袋状とし、前記包装体の長さ方向略中央に前記長方形状に折畳んだ紙おしぼりを配置した状態で、前記紙おしぼりを前記包装体内部に収容したものであり、
前記送風部の収納部は、前記紙おしぼり包装物の包装体の外形を完全に内包自在な大きさの略楕円形状の外形を有し、
前記送風部は、前記一対のシート体の内面において前記収納部以外の略全面に接着剤または粘着剤を塗布した状態で前記一対のシート体を互いに重ね合わせると共に、前記収納部が前記紙おしぼり包装物の包装体を完全に内包し、かつ、少なくとも、前記収納部の外周縁と前記紙おしぼり包装物の包装体内の紙おしぼりの外周縁との間に、所定の間隙が形成されるようにした状態で、前記一対のシート体の外面において前記収納部以外の全面と、前記収納部の外周縁から前記所定の間隙部分の少なくとも一部にわたる部分とをプレスすることにより、前記一対のシート体を互いに接着または粘着して貼着したものであることを特徴とする請求項９記載のおしぼり付きうちわ。
【請求項１３】
前記紙おしぼりの重心位置が、前記送風部の重心位置より前記送風部の基端側に位置するよう、前記紙おしぼりを前記送風部に配置したことを特徴とする請求項１乃至１２のいずれか１項記載のおしぼり付きうちわ。
【請求項１４】
前記紙おしぼりは、レモングラス、ペパーミント、シトロネラ、レモンユーカリ、ティートリー及びゼラニウムのうちの少なくとも１種からなる天然芳香成分を含浸させてなることを特徴とする請求項１乃至１３のいずれか１項記載のおしぼり付きうちわ。
【請求項１５】
前記紙おしぼりは、化粧用パック成分または化粧水成分を含浸させてなることを特徴とする請求項１乃至１３のいずれか１項記載のおしぼり付きうちわ。
【考案の詳細な説明】
【技術分野】
【０００１】
本考案は、うちわに紙おしぼりを一体的に設けたおしぼり付きうちわに関する。
【背景技術】
【０００２】
従来、うちわや紙おしぼりは、日本においてよく知られた商品であり、日用品である。このうち、うちわは、宣伝広告に用いられることが多く、花火大会や盆踊り、コンサート等のイベントにおいて多数の人に無償で配布されることが多い。特に、花火大会や盆踊りが開催されることが多い夏の野外でうちわを来場者に配布すると、来場者がそのうちわを使用して涼むことができ、更に、季節感を感じることもできるため、使用者に大変重宝される。
【０００３】
一方、紙おしぼりは、主に、飲食店で無償サービスとして来客に提供されることが多い。紙おしぼりは、清潔を好む日本人にとって、飲食前に手を拭いたり、或いは、手等の汚れを落としたりするのに大変重宝なものである。これらのうちわや紙おしぼりに、別の機能を付加することが提案されている。
【０００４】
従来、この種の技術として、例えば、特許文献１または特許文献２に記載の技術がある。
【特許文献１】特開２００３−８８４１２号公報
【特許文献２】登録実用新案第３００６８７５号公報
【０００５】
特許文献１には、ハーブの香りが長期間持続し、清涼感及び爽快感を長期にわたって得ることのできるうちわが開示されている。このうちわは、一対の板状紙が中骨を挟んで貼り合わされている。各々の板状紙の互いの対向面側（内面側）には、ハーブ粉漉き込み層が形成されている。このハーブ粉漉き込み層は、紙漉きにより形成される紙層の表層部分に、ハーブの原形を加熱乾燥後、粉状又は細片状に粉砕された第一ハーブ粉を漉き込む形で混入することにより形成される。中骨と板状紙との間に形成される接着剤層には、第一ハーブ粉とは別に用意され、ハーブの原形を加熱乾燥後、粉状又は細片状に粉砕された第二ハーブ粉が混合されている。
【０００６】
また、特許文献２には、宣伝広告用という感じを与えることなく、宣伝効果に優れるという包装おしぼりが開示されている。この包装おしぼりは、広告文や広告用絵柄が記載されたおしぼりと、前記おしぼりを収納した包装体とで構成される。
【考案の開示】
【考案が解決しようとする課題】
【０００７】
ここで、本考案者は、上記効能を有する紙おしぼりを、花火大会等の野外イベントで配布されることが少ないことに疑問を抱き、特に、水を確保することが難しい野外イベント等において紙おしぼりを来場者等に配布すれば、その来場者等が、飲食前に手を拭いてきれいにしたり、飲食等で所持物等に付着した汚れを除去したりすることができるため、使用者に大変重宝されることに着目した。そして、本考案者は、特許文献１または特許文献２に記載の技術のように、うちわや紙おしぼりに機能を付加するのではなく、紙おしぼりを上記のような効能を有するうちわと組み合わせて来場者に配布すれば一層効果的であると考えた。更に、本考案者は、紙おしぼりとうちわを別個に（ばらばらの状態で）配布するのではなく、紙おしぼりをうちわと一体化して配布すれば、使用者にとって非常に便利であると考え、本考案を成し遂げた。
【０００８】
そこで、本考案は、うちわ本来の送風機能や紙おしぼり本来の清浄化機能等を阻害することなく、紙おしぼりとうちわとを一体化して、その取り扱い、使い勝手、利便性等を向上すると共に、必要時に紙おしぼりをうちわから取出して簡単に使用することのできるおしぼり付きうちわの提供を課題とする。
【課題を解決するための手段】
【０００９】
請求項１に係るおしぼり付きうちわは、平板状をなす送風部と、前記送風部に一体的に設けた紙おしぼりとを備える。
【００１０】
請求項２に係るおしぼり付きうちわは、請求項１の構成において、前記送風部が、前記紙おしぼりを収納するための空間を形成する収納部と、前記収納部に対応して設けられ、前記収納部から前記紙おしぼりを取出すべく開封自在とされた取出口部とを含み、前記送風部の収納部は、前記取出口部の非開封状態では前記紙おしぼりを液密及び気密状態で収納自在である。
【００１１】
請求項３に係るおしぼり付きうちわは、平板状をなす送風部と、前記送風部に一体的に設けられ、所定態様で折畳んだ紙おしぼり及び前記紙おしぼりを収容する液密及び気密の袋状をなす包装体とを含む紙おしぼり包装物とを備える。
【００１２】
請求項４に係るおしぼり付きうちわは、請求項３の構成において、前記送風部が、前記紙おしぼり包装物を収納する収納部と、前記収納部に対応して設けられ、前記収納部から前記紙おしぼり包装物を取出すべく開封自在とされた取出口部とを含む。
【００１３】
請求項５に係るおしぼり付きうちわは、請求項４の構成において、前記送風部が、同一平面形状の一対のシート体を互いに貼着することにより、前記平板状となるよう一体形成されると共に、前記一対のシート体を、前記紙おしぼり包装物に略相当する面積部分のみ残して互いに貼着することにより、前記面積部分を非貼着部としてその非貼着部により前記収納部を形成し、更に、前記収納部における前記一対のシート体の少なくとも一方に前記取出口部を形成した。
【００１４】
請求項６に係るおしぼり付きうちわは、請求項４または５の構成において、前記収納部の取出口部が、前記紙おしぼり包装物の外形に対応する長方形状の外形を有し、その長方形状の１辺をヒンジ部とすると共に他の３辺を切離し自在な切離部とし、前記３辺の切離部を切離すことにより前記ヒンジ部を介して開封自在とされている。
【００１５】
請求項７に係るおしぼり付きうちわは、請求項４または５の構成において、前記収納部の取出口部が、前記紙おしぼり包装物の外形に対応する長方形状の外形を有し、その長方形状の４辺全てを切離し自在な切離部とし、前記４辺の切離部を切離すことにより前記収納部を開封自在とされている。
【００１６】
請求項８に係るおしぼり付きうちわは、請求項６または７の構成において、前記収納部の取出口部が、その略中央部を切り抜くことにより、内部に収納した前記紙おしぼり包装物を外部に露出して視認自在とする視認窓を形成する。
【００１７】
請求項９に係るおしぼり付きうちわは、請求項５乃至８のいずれかの構成において、前記紙おしぼり包装物が、前記紙おしぼりを前記包装体内に真空状態で包装したものであり、前記送風部は、前記一対のシート体間において前記収納部に対応する部分に前記紙おしぼり包装物を配置し、前記一対のシート体において前記収納部以外の部分を互いに圧着して一体化することにより前記平板状とされると共に、前記紙おしぼり包装物を前記収納部に収納したものである。
【００１８】
請求項１０に係るおしぼり付きうちわは、請求項９の構成において、前記紙おしぼり包装物は、前記紙おしぼりを長方形状に折畳むと共に、前記包装体を前記紙おしぼりの長方形状より大きな長さ寸法の長方形状の袋状とし、前記包装体の長さ方向略中央に前記長方形状に折畳んだ紙おしぼりを配置した状態で、前記紙おしぼりを前記包装体内部に収容したものであり、前記送風部の収納部は、前記紙おしぼり包装物の包装体の外形を完全に内包自在な大きさの略長方形状の外形を有し、前記送風部は、前記一対のシート体の内面において前記収納部以外の略全面に接着剤または粘着剤を塗布した状態で前記一対のシート体を互いに重ね合わせると共に、前記収納部が前記紙おしぼり包装物の包装体を完全に内包し、かつ、少なくとも、前記収納部の外周縁と前記紙おしぼり包装物の包装体内の紙おしぼりの外周縁との間に、所定の間隙が形成されるようにした状態で、前記一対のシート体の外面において前記収納部以外の全面と、前記収納部の外周縁から前記所定の間隙部分の少なくとも一部にわたる部分とをプレスすることにより、前記一対のシート体を互いに接着または粘着して貼着したものである。
【００１９】
請求項１１に係るおしぼり付きうちわは、請求項１０の構成において、前記送風部が、前記紙おしぼり包装物の紙おしぼりの外周縁を前記取出口部の外周縁の内側に完全に配置し、かつ、前記紙おしぼり包装物の包装体の外周縁の少なくとも一部を前記収納部の外周縁と前記取出口部の外周縁との間の範囲に配置した状態で、前記一対のシート体の外面において前記収納部以外の全面と、前記収納部の外周縁と前記取出口部の外周縁との間の範囲の少なくとも一部とをプレスすることにより、前記一対のシート体を互いに接着または粘着して貼着し、前記取出口部を開封したときに、前記紙おしぼり包装物の包装体の外周縁部の少なくとも一部が、前記送風部において前記収納部の外周縁と前記取出口部の外周縁との間の範囲の部分に係止されるようにした。
【００２０】
請求項１２に係るおしぼり付きうちわは、請求項９の構成において、前記紙おしぼり包装物が、前記紙おしぼりを長方形状に折畳むと共に、前記包装体を前記紙おしぼりの長方形状より大きな長さ寸法の長方形状の袋状とし、前記包装体の長さ方向略中央に前記長方形状に折畳んだ紙おしぼりを配置した状態で、前記紙おしぼりを前記包装体内部に収容したものであり、前記送風部の収納部は、前記紙おしぼり包装物の包装体の外形を完全に内包自在な大きさの略楕円形状の外形を有し、前記送風部は、前記一対のシート体の内面において前記収納部以外の略全面に接着剤または粘着剤を塗布した状態で前記一対のシート体を互いに重ね合わせると共に、前記収納部が前記紙おしぼり包装物の包装体を完全に内包し、かつ、少なくとも、前記収納部の外周縁と前記紙おしぼり包装物の包装体内の紙おしぼりの外周縁との間に、所定の間隙が形成されるようにした状態で、前記一対のシート体の外面において前記収納部以外の全面と、前記収納部の外周縁から前記所定の間隙部分の少なくとも一部にわたる部分とをプレスすることにより、前記一対のシート体を互いに接着または粘着して貼着したものである。
【００２１】
請求項１３に係るおしぼり付きうちわは、請求項１乃至１２のいずれかの構成において、前記紙おしぼりの重心位置が、前記送風部の重心位置より前記送風部の基端側に位置するよう、前記紙おしぼりを前記送風部に配置した。
【００２２】
請求項１４に係るおしぼり付きうちわは、請求項１乃至１３のいずれかの構成において、前記紙おしぼりが、レモングラス、ペパーミント、シトロネラ、レモンユーカリ、ティートリー及びゼラニウムのうちの少なくとも１種からなる天然芳香成分を含浸させてなる。
【００２３】
請求項１５に係るおしぼり付きうちわは、請求項１乃至１３のいずれかの構成において、前記紙おしぼりが、化粧用パック成分または化粧水成分を含浸させてなる。
【考案の効果】
【００２４】
請求項１に係るおしぼり付きうちわは、上記のように構成したため、うちわ本来の送風機能や紙おしぼり本来の清浄化機能等を阻害することなく、紙おしぼりとうちわとを一体化して、その取り扱い、使い勝手、利便性等を向上すると共に、必要時に紙おしぼりをうちわから取出して簡単に使用することができる。
【００２５】
請求項２に係るおしぼり付きうちわは、請求項１の効果に加え、紙おしぼりを単体で（包装体に包装することなく）送風部の収納部に収納することができる。この場合も、収納部が、取出口部の非開封状態では前記紙おしぼりを液密及び気密状態で収納するため、紙おしぼりが乾燥したりすることはない。更に、取出口部を開封することにより、収納部から紙おしぼりを簡単に取出すことができる。
【００２６】
請求項３に係るおしぼり付きうちわは、上記のように構成したため、うちわ本来の送風機能や紙おしぼり本来の清浄化機能等を阻害することなく、紙おしぼりとうちわとを一体化して、その取り扱い、使い勝手、利便性等を向上すると共に、必要時に紙おしぼりをうちわから取出して簡単に使用することができる。また、通常の紙おしぼり包装物（包装体に紙おしぼりを収容して包装したもの）を使用して、簡単におしぼり付きうちわを形成することができる。
【００２７】
請求項４に係るおしぼり付きうちわは、請求項３の効果に加え、紙おしぼりの使用前は、取出口部を非開封状態（初期状態）とすることにより、紙おしぼり包装物を収納部内に確実に収容することができる。一方、紙おしぼりの使用時は、取出口部を開封することにより、収納部から紙おしぼり包装物を簡単に取出すことができる。また、収納部に紙おしぼりを収納するため、紙おしぼりとうちわが完全に一体化して、うちわ使用時の空気抵抗が減少し、使用者は違和感なくうちわを扇ぐことが可能となる。更に、紙おしぼりを収納部に収納することにより、紙おしぼりが突起物等に引っかかったり、破損したりするといった不具合を防止することができる。
【００２８】
請求項５に係るおしぼり付きうちわは、請求項４の効果に加え、一対のシート体を貼着することにより、簡単に送風部を形成することができる。更に、一対のシート体を貼着する際に、非貼着部としての収納部が自動的に形成されるため、特別な収納部用の構造を必要としない。
【００２９】
請求項６に係るおしぼり付きうちわは、請求項４または５の効果に加え、取出口部の切離部の３辺を切離すことにより、取出口部を簡単に開封して、その開封部分（開封口）から紙おしぼり包装物を簡単に取出すことができる。更に、取出口部は、開封後もヒンジ部により送風部に一体化されているため、取出口部がごみとして廃棄されることを効果的に防止することができる。
【００３０】
請求項７に係るおしぼり付きうちわは、請求項４または５の効果に加え、取出口部の切離部の４辺を切離すことにより、取出口部を簡単に開封して、その開封部分（開封口）から紙おしぼり包装物を簡単に取出すことができる。更に、取出口部は、開封後は送風部から完全に切離されるため、送風部の送風機能発揮時に取出口部が邪魔になることがない。
【００３１】
請求項８に係るおしぼり付きうちわは、請求項６または７の効果に加え、取出口部の視認窓を介して収納部内の紙おしぼり包装物を外部から視認することができ、使用者に対して送風部の収納部に紙おしぼり包装物が存在することを確実に伝達することができる。
【００３２】
請求項９に係るおしぼり付きうちわは、請求項５乃至８のいずれかの効果に加え、紙おしぼり包装物の包装体内部が真空状態であるため、紙おしぼり包装物の厚みが小さくなると共に、嵩が非常に小さくなる。その結果、送風部の収納部に収納したときに収納部がかさばり、送風部が収納部部分で大きく厚肉となるようなことがなく、送風部の送風機能を損なうこともない。また、一対のシート体を圧着装置（プレスローラ等）により互いに圧着して一体化するときに、たとえ非貼着部としての収納部の一部（例えば、外周縁部）をプレスローラ等が押圧することになり、これに伴い紙おしぼり包装物の一部（例えば、外周縁部）をプレスローラ等が押圧することになったとしても、紙おしぼり包装物の包装体内が真空であるため、包装体が内部の空気圧により破断することがない。その結果、請求項９に係るおしぼり付きうちわは、一対のシート体間に単に紙おしぼり包装物（従来のように包装体内に空気が存在するもの）を挟むという構成では、一対のシート体を圧着する際に紙おしぼり包装物の包装体内部の空気により包装体が破断することから、かかる構成でうちわに紙おしぼりを一体化することが不可能であるという事態を打破し、紙おしぼりの機能を損なわずに、紙おしぼりをうちわに違和感なく一体化した構成とすることができる。
【００３３】
請求項１０に係るおしぼり付きうちわは、請求項９の効果に加え、一対のシート体を互いにプレスローラ等によりプレスして接着または粘着することにより送風部を形成する際に、前記収納部に対応する部分のみが非貼着部として接着または粘着されず、一対のシート体の接着または粘着後に自動的に収納部を形成することができる。また、このとき、収納部の外周縁と紙おしぼり包装物の紙おしぼりの外周縁との間に形成される間隙が、プレス時にプレスローラ等が走行するプレス許容部分（プレスしろ）となる。即ち、この間隙部分には、紙おしぼり包装物において比較的厚肉となる紙おしぼりは少なくとも存在しないため、プレスローラ等によるプレス処理を円滑に行うことができる。更に、収納部の外周縁より所定距離内側をプレスすることになるため、一対のシート体をプレスにより確実に圧着して接着または粘着することができると共に、前記収納部の外形を確実に形成することができる。即ち、収納部の外周縁より外側のみをプレスにより圧着した場合、貼着部（接着部または粘着部）と非貼着部（非接着部または非粘着部）との間の境界部分で接着剤の接着または粘着剤の粘着が確実に行われず、収納部の外形を確実に形成することができない可能性がある。その結果、請求項１０に係るおしぼり付きうちわは、紙おしぼりの機能を損なうことを更に効果的に防止でき、また、紙おしぼりをうちわに更に違和感なく一体化した構成とすることができる。
【００３４】
請求項１１に係るおしぼり付きうちわは、請求項１０の効果に加え、取出口部を開封したときに、紙おしぼり包装物の包装体の長さ方向両端縁側の一定部分が、送風部において前記取出口部の長さ方向両端縁と前記収納部の長さ方向両端縁との間の部分に係止されているため、紙おしぼり包装物が取出口部（開封口）から自重で簡単に脱落することを効果的に防止することができる。即ち、使用者が、送風部の取出口部を開封し、収納部の内部の紙おしぼり包装物を手指により把持して外部に引っ張ることで、紙おしぼり包装物を収納部から取出口部の開封口を経て外部に取り出せるようになり、使用者が引っ張るまでは、紙おしぼり包装物を収納部に仮保持することができる。
【００３５】
請求項１２に係るおしぼり付きうちわは、請求項９の効果に加え、一対のシート体を互いにプレスローラ等によりプレスして接着または粘着することにより送風部を形成する際に、前記収納部に対応する部分のみが非貼着部として接着または粘着されず、一対のシート体の接着または粘着後に自動的に収納部を形成することができる。また、このとき、収納部の外周縁と紙おしぼり包装物の紙おしぼりの外周縁との間に形成される間隙が、プレス時にプレスローラ等が走行するプレス許容部分（プレスしろ）となる。即ち、この間隙部分には、紙おしぼり包装物において比較的厚肉となる紙おしぼりは少なくとも存在しないため、プレスローラ等によるプレス処理を円滑に行うことができる。更に、収納部の外周縁より所定距離内側をプレスすることになるため、一対のシート体をプレスにより確実に圧着して接着または粘着することができると共に、前記収納部の外形を確実に形成することができる。即ち、収納部の外周縁より外側のみをプレスにより圧着した場合、貼着部（接着部または粘着部）と非貼着部（非接着部または非粘着部）との間の境界部分で接着剤の接着または粘着剤の粘着が確実に行われず、収納部の外形を確実に形成することができない可能性がある。その結果、請求項１０に係るおしぼり付きうちわは、紙おしぼりの機能を損なうことを更に効果的に防止でき、また、紙おしぼりをうちわに更に違和感なく一体化した構成とすることができる。
【００３６】
請求項１３に係るおしぼり付きうちわは、請求項１乃至１２のいずれかの効果に加え、紙おしぼりの重心位置が、送風部の重心位置より送風部の基端側に位置するため、送風部を扇ぐ際の重心位置が送風部の基端側となり、送風部による送風操作を円滑に違和感なく行うことができる。
【００３７】
請求項１４に係るおしぼり付きうちわは、請求項１乃至１３のいずれかの効果に加え、紙おしぼりに含浸したレモングラス、ペパーミント、シトロネラ、レモンユーカリ、ティートリー及びゼラニウムの少なくとも１種からなる天然芳香成分は、防虫（虫除け）効果または害虫等忌避効果等の好ましい効果を発揮するため、使用者が、紙おしぼりを送風部から取出して皮膚等を拭いたりして塗布することで、前記天然芳香成分により、前記防虫効果等の好ましい効果を発揮することができる。また、前記天然芳香成分は、人体に無害であり、かつ、その芳香等により使用者に清涼感等の好ましい影響を与える。
【００３８】
請求項１５に係るおしぼり付きうちわは、請求項１乃至１３のいずれかの効果に加え、紙おしぼりに含浸した化粧用パック成分または化粧水成分は、保湿効果、抗菌効果、抗炎症効果等の美肌効果等の好ましい効果を発揮するため、使用者が、紙おしぼりを送風部から取出して皮膚等を拭いたりして塗布することで、前記成分により、前記美肌効果等の好ましい効果を発揮することができる。
【考案を実施するための最良の形態】
【００３９】
以下、本考案を実施するための最良の形態（以下、実施の形態という。）を説明する。なお、各実施の形態を通じ、同一の部材、要素または部分には同一の符号を付して、その説明を省略する。
【００４０】
実施の形態１
図１は本発明の実施の形態１に係るおしぼり付きうちわの平面図である。図２は本発明の実施の形態１に係るおしぼり付きうちわの取出口部を開封して収納部から紙おしぼり包装物を取出した状態を示す斜視図である。図３は本発明の実施の形態１に係るおしぼり付きうちわの横断面を示し、（ａ）は図１のＡ−Ａ線断面図、（ｂ）は（ａ）の要部を拡大して示す断面図である。図４は本発明の実施の形態１に係るおしぼり付きうちわの縦断面を示し、（ａ）は図１のＢ−Ｂ線断面図、（ｂ）は（ａ）の要部を拡大して示す断面図である。
【００４１】
図１及び図２に示すように、実施の形態１に係るおしぼり付きうちわは、平板状をなす送風部１０と、送風部に一体的に設けた紙おしぼり包装物２０とを備える。紙おしぼり包装物２０は、一般的なものであり、所定態様で折畳んだ紙おしぼり２１と、紙おしぼり２１を収容する袋状をなす包装体２２とを含む。なお、紙おしぼり２１は、矩形状の紙おしぼり用シートを観音折り等の所定態様で折畳んだものとすることができ、また、包装体２２は、ポリエチレン樹脂シート等のシート状材料により略液密及び略気密の袋状に形成することができる。一方、送風部１０は、下端を切除した略円形の平板状をなす。また、送風部１０は、紙おしぼり包装物２０を収納するための空間を形成する収納部１１と、収納部１１に対応して設けられ、収納部１１から紙おしぼり包装物２０を取出すべく開封自在とされた取出口部１２とを含む。
【００４２】
詳細には、図３〜図６に示すように、送風部１０は、同一平面形状（下端を切除した略円形の平板状）の一対のシート体１０Ａ，１０Ｂを互いに貼着することにより、前記平板状となるよう一体形成されている。前記各シート体１０Ａ，１０Ｂは、例えば、厚紙等を前記形状に切断して形成することができる。また、送風部１０は、一対のシート体１０Ａ，１０Ｂを、紙おしぼり包装物２０に略相当する面積部分のみ残して互いに貼着することにより、前記面積部分を非貼着部としてその非貼着部により前記収納部１１を形成している。そして、送風部１０は、収納部１１を形成する非貼着部における前記一対のシート体１０Ａ，１０Ｂ間の空間内に、紙おしぼり包装物２０を収納するようにしている。更に、送風部１０は、収納部１１における一対のシート体１０Ａ，１０Ｂの少なくとも一方に前記取出口部１２を形成している。なお、このように形成した送風部１０の収納部１１または取出口部１２より下側（下端付近）の略中央には、円形の指挿入孔１３が貫通形成されている。そして、使用者が送風部１０の指挿入孔１３に手指を挿入して送風部１０を扇げるようになっている。このとき、送風部１０は、それ自体の剛性でその平板形状を維持し、使用者による扇動動作（扇ぐ動作）により送風機能を発揮するようになっている。
【００４３】
前記収納部１１の取出口部１２は、前記一対のシート体１０Ａ，１０Ｂの一方のシート体（図３〜図６中上側のシート体）１０Ａに形成され、紙おしぼり包装物２０の外形に対応する長方形状の外形を有している。また、取出口部１２は、その長方形状の１辺をヒンジ部１２ａとすると共に他の３辺を切離し自在な切離部１２ｂとし、前記３辺の切離部１２ｂを切離すことによりヒンジ部１２ａを介して開封自在とされている。即ち、取出口部１２は、ヒンジ部１２ａ及び切離部１２ｂにより開閉蓋状に形成されている。前記切離部１２ｂは、例えば、シート体１０Ａの対応する位置に破線状のミシン目（切目乃至切取線）を直線状に形成することにより設けることができる。また、前記ヒンジ部１２ａは、例えば、シート体１０Ａの対応する位置に直線状の折目を形成することにより設けることができる。しかし、ヒンジ部１２ａも、切離部１２ｂと同様、シート体１０Ａの対応する位置に破線状のミシン目（切目乃至切取線）を直線状に形成することにより設けることができる。即ち、ミシン目を送風部１０のシート体１０Ａから完全に切離せば切離部１２ｂとなり、切離さずに折目として使用すればヒンジ部１２ａとなる。なお、取出口部１２は、通常、一方のシート体１０Ａにのみ形成するが、両方のシート体１０Ａ，１０Ｂにそれぞれ形成し、送風部１０の厚さ方向両側の所望の側から収納部１１を開封して、紙おしぼり包装物２０を取出せるよう構成することもできる。
【００４４】
ここで、収納部１１は、送風部１０の上下左右の略中央に配置され、送風部１０の左右方向に延びる長方形状をなす。具体的には、収納部１１は、紙おしぼり包装物２０の包装体２２の外形を完全に内包自在な大きさの略長方形状の外形を有している。また、収納部１１は、紙おしぼり包装物２０の包装体２２の外形に対応する長方形状とされている。更に、収納部１１の幅寸法及び長さ寸法は、それぞれ、包装体２２の幅寸法及び長さ寸法より大きくされている。なお、収納部１１の幅寸法及び長さ寸法は、それぞれ、包装体２２の幅寸法及び長さ寸法と略同一としてもよく、若干のみ大きくすることもできる。一方、取出口部１２は、収納部１１に対応する長方形状をなし、送風部１０の左右方向に延びると共に、収納部１１の外形（外周縁）の内側に完全に内包される大きさを有して、収納部１１の内側に配置されている。具体的には、取出口部１２は、前記長方形状の収納部１１の外形と略相似、かつ、より小さい外形寸法の長方形状を有して前記収納部１１の内側に配置され、その全体を開封してその外形に対応する長方形状の開封口を形成自在である。即ち、取出口部１２は、その外周縁（長さ方向両端縁及び幅方向両端縁）が、収納部１１の外周縁（長さ方向両端縁及び幅方向両端縁）とそれぞれ所定の間隔を置いて配置されている。
【００４５】
なお、収納部１１の外形及び寸法は、収納対象の紙おしぼり包装物２０の外形及び寸法に対応して設定されるが、紙おしぼり包装物２０を収容できる限りにおいて、前記長方形以外の任意の外形及び／または寸法とすることもできる。また、取出口部１２の外形（開封口形状）及び寸法は、収納部１１の外形及び寸法に対応して設定されるが、収納部１１に対応して設けられ、開封されることにより収納部１１から紙おしぼり包装物２０を取出すことができる限りにおいて、前記長方形以外の任意の外形及び／または寸法とすることもできる。例えば、収納部１１の外形は、前記長方形状とする以外に、紙おしぼり包装物２０を内包する寸法の略楕円形とすることも可能である。また、収納部１１の取出口部は、紙おしぼり包装物２０の外形に対応する長方形状の外形を有し、その長方形状の４辺全てを切離し自在な切離部とし、前記４辺の切離部を切離すことにより前記収納部１１を開封自在とすることも可能である。
【００４６】
収納部１１の取出口部１２は、更に、前記長方形状において前記ヒンジ部１２ａと反対側の長辺の両側のコーナ部に、手指により把持自在な形状のつまみ部１２ｃを一体形成している。また、つまみ部１２ｃは、小さな略二等辺三角形状の平板状をなし、そして、使用者が、つまみ部１２ｃを把持して取出口部１２を開封できるようになっている。前記つまみ部１２ｃ、例えば、シート体１０Ａの取出口部１２の対応するコーナ位置において、前記二等辺三角形状の底辺部分を直線状の折目とすることにより設けることができる。なお、収納部１１の取出口部１２のつまみ部１２ｃは、前記長方形状の少なくとも一つのコーナ部に形成すればよい。また、取出口部１２は、その略中央部を切り抜くことにより、収納部１１の内部に収納した紙おしぼり包装物２０を外部に露出して視認自在とする視認窓（切抜き窓）１２ｄを形成している。前記視認窓１２ｄは、取出口部１２と平行に左右に延びるスロット状（長さ方向両端を略半円形とした略長方形状乃至略長円状）となっている。
【００４７】
前記紙おしぼり包装物２０は、紙おしぼり２１を包装体２２内に真空状態で包装したものである。また、送風部１０は、一対のシート体１０Ａ，１０Ｂ間において収納部１１に対応する部分に紙おしぼり包装物２０を配置し、一対のシート体１０Ａ，１０Ｂにおいて収納部１１以外の部分を互いに圧着して一体化することにより前記平板状とされると共に、紙おしぼり包装物２０を収納部１１に収納したものである。具体的には、紙おしぼり包装物２０は、紙おしぼり２１を長方形状に折畳むと共に、包装体２２を紙おしぼり２１の長方形状より大きな長さ寸法の長方形状の袋状としている。また、紙おしぼり包装物２０は、前記折畳状態の紙おしぼり２１の幅寸法より包装体２２の幅寸法を若干程度大きくし、折畳状態の紙おしぼり２１の幅方向両端縁を包装体２２の幅方向両端と略一致させた状態で、紙おしぼり２１を包装体２２に液密状態乃至水密状態及び気密状態で収容している。なお、包装体２２の幅寸法は紙おしぼり２１の幅寸法と略同一としてもよく、若干大きくすることもできる。一方、包装体２２の長さ寸法は紙おしぼり２１の長さ寸法より大きくし、紙おしぼり２１の長さ方向両端縁と包装体２２の長さ方向両端縁のシール部との間に所定の間隙が形成されるようにすることが好ましい。そして、包装体２２の長さ方向略中央に前記長方形状に折畳んだ紙おしぼり２１を配置した状態で、紙おしぼり２１を包装体２２内部に収容することで、紙おしぼり包装物２０を形成することができる。
【００４８】
紙おしぼり包装物特有の構造及びその製造
上記紙おしぼり包装物２０の構成は、通常の紙おしぼり包装物の構成と同様であり、通常の紙おしぼり包装物と同様の製造装置を使用して、同様の製造工程により製造することができる。一方、本実施の形態に係る紙おしぼり包装物２０は、包装体２２の内部を真空とした状態で紙おしぼり２１を液密及び気密に封入することを特徴とする。よって、実施の形態１に係る紙おしぼり包装物２１の製造では、従来の紙おしぼり包装物の製造装置及び製造工程において、所定態様に折畳んだ紙おしぼり２１を包装体２２により包装する際に、包装体２２内を真空にする真空工程が必要となる。
【００４９】
具体的には、実際の紙おしぼり包装物は、いわゆる紙おしぼり製造装置及び紙おしぼり包装装置を組み合わせた紙おしぼり包装物自動製造装置により量産される。かかる紙おしぼり包装物自動製造装置を使用した紙おしぼり包装物の製造方法について概略的に説明する。まず、紙おしぼりシート折畳工程において、紙おしぼり用の原反ロールから連続的に送給される複数列の紙おしぼりシートが、それぞれ、所定の折畳ユニットで所定の折畳状態とされる。例えば、各紙おしぼりシートは、観音折りした後二つ折りされて所定の折畳状態とされる。次に、折畳状態の紙おしぼりシートは、紙おしぼりシート裁断工程において、裁断ユニットにより、その送給方向に所定長さで裁断されると共に、含浸工程において、含浸ユニットで殺菌用の薬液等を含浸され、最終製品としての個別の紙おしぼりとされる。なお、以上の紙おしぼり製造工程及び紙おしぼり製造装置については、公知であるため、ここでは図示しない。また、上記以外の方法で紙おしぼり５を製造することも無論可能である。
【００５０】
次に、このように製造した各紙おしぼりは、包装工程において、紙おしぼり包装装置の包装フィルムにより包装されて紙おしぼり包装物となる。具体的には、まず、紙おしぼり送給工程において、多数の紙おしぼり２１が、送給ユニットのコンベヤベルトにより所定間隔を置いて送給され、包装装置の包み込みユニットへと送られる。一方、包装フィルムシート送給工程において、前記包装体２２を左右に展開した場合の幅と同一幅の包装フィルムシートが、包装フィルム用の原反ロールから前記包み込みユニットに向かって連続的に送給される。包装フィルムシートは、紙おしぼり収容工程（包装フィルムシート折畳工程）において、包み込みユニットの折畳部で断面略Ｔ字状となるよう折畳まれる。このとき、包装フィルムシートの幅方向両端側の一定幅部分が、対をなすよう接近対向状態、若しくは、重合状態で下方に垂下して耳部を構成する。また、包装フィルムシートの中央側の残り部分が、紙おしぼり２１を内部に包み込んで収容する。このようにして、一定間隔で連続して送給される多数の紙おしぼり２１が、略Ｔ字状に折畳まれた包装フィルムシートの内部に一定間隔で配置して収容される。
【００５１】
次に、中央シール工程において、紙おしぼり２１を収容した包装フィルムシートは、その耳部の基端側が一対の熱圧着ローラ間で熱圧着（溶着）されてシールされる。これにより、重ね合わせた一対の耳部の基端側が長さ方向に沿ってシールされる。なお、これにより形成される中央シール部は、図示はしないが、図１の紙おしぼり包装物２０の背面側の幅方向略中央を直線状に延びている。その後、内部に紙おしぼり２１を収容した包装フィルムシートは、別の熱圧着ローラに送給され、上下シール工程において、内部に収容した紙おしぼり２１の上端側及び下端側（隣接する紙おしぼり２１の間の部分）が、一対の熱圧着ローラ間で熱圧着（溶着）される。これにより、前記折畳状態の紙おしぼり２１の外形に対応する外形を有する袋状をなす包装体２２が形成される。この上下シール工程と同時に、あるいは、この上下シール工程の後、切断工程において、包装フィルムシートは、切断ユニットにより隣接する紙おしぼり間のシール部分で幅方向に沿って切断（裁断）される。これにより、包装体２２の長さ方向両端に上下シール部２２ａが形成され、包装体２２により紙おしぼり２１を包装した紙おしぼり包装物２０が形成される。なお、上記以外の方法で、紙おしぼり２１を包装体２２により包装することも可能である。
【００５２】
そして、前記真空工程では、前記中央シール工程と前記上下シール工程との間において、例えば、紙おしぼり２１を内部に収容して前記中央シール部を形成する一方、長さ方向両端が開放状態にある包装フィルムシート及び前記紙おしぼり２１をプレス装置等により厚さ方向に押圧して、包装フィルムシート内部の空気を外部に強制的に排出し、その状態のまま、包装フィルムシートの長さ方向両端をシールして上下シール部２２ａを形成することにより、前記包装体２２内部を真空にすることができる。なお、これ以外の方法により、包装体２２内部を真空にすることもできる。
【００５３】
送風部の形成及び紙おしぼり包装物の収納
図５は本発明の実施の形態１に係るおしぼり付きうちわの送風部の収納部及び取出口部と紙おしぼり包装物との位置関係を示す平面図である。
上記構成の送風部１０は、一対のシート体１０Ａ，１０Ｂを以下のようにして貼着することにより形成される。即ち、図５は送風部１０を構成する一対のシート体１０Ａ，１０Ｂのうちの他方（下側）のシート体１０Ｂを示す。図５に示すように、送風部１０は、例えば、他方のシート体１０Ｂの内面において収納部１１以外の略全面に接着剤または粘着剤（図５中の網線部分）を塗布した状態で、そのシート体１０Ｂ上に一方（上側）のシート体１０Ａを重ねる等して、一対のシート体１０Ａ，１０Ｂを互いに重ね合わせる。これに先立ち、送風部１０は、収納部１１に紙おしぼり包装物２０を配置するが、このとき、収納部１１が紙おしぼり包装物２０の包装体２２を完全に内包し、かつ、少なくとも、収納部１１の外周縁と紙おしぼり包装物２０の包装体２２内の紙おしぼり２１の外周縁との間に、所定の間隙Ｇ１，Ｇ２が形成されるようにする。
【００５４】
詳細には、このとき、紙おしぼり包装物２０の包装体２２の幅方向両端縁（両側縁）が一対のシート体１０Ａ，１０Ｂ間において収納部１１の幅方向両端縁（両側縁）からそれぞれ所定距離（或いは若干距離）だけ内側に位置するよう、かつ、紙おしぼり包装物２０の包装体２２の長さ方向両端縁（両側縁）が一対のシート体１０Ａ，１０Ｂ間において収納部１１の長さ方向向両端縁（両側縁）からそれぞれ所定距離（或いは若干距離）だけ内側に位置するよう、紙おしぼり包装物２０を収納部１１における一対のシート体１０Ａ，１０Ｂ間に配置する。これにより、紙おしぼり包装物２０の紙おしぼり２１の幅方向両端縁が、送風部１０の一対のシート体１０Ａ，１０Ｂ間において収納部１１の幅方向両端縁からそれぞれ所定距離（前記間隙Ｇ１の幅、即ち、図４（ｂ）に示す幅Ｗ１）だけ内側に位置することになる。また、紙おしぼり包装物２０の紙おしぼり２１の長さ方向両端縁が、送風部１０の一対のシート体１０Ａ，１０Ｂ間において収納部１１の長さ方向両端縁からそれぞれ所定距離（前記間隙Ｇ２の幅、即ち、図３に示す幅Ｗ２）だけ内側に位置することになる。
【００５５】
そして、この状態で、一対のシート体１０Ａ，１０Ｂの外面において前記収納部１１以外の全面と、収納部１１の外周縁から前記所定の間隙Ｇ１，Ｇ２部分の少なくとも一部にわたる部分とをプレスすることにより、前記一対のシート体１０Ａ，１０Ｂを互いに接着または粘着して圧着により貼着し、平面部１０を構成すると共に、収納部１１に紙おしぼり包装物２０を収納することができる。この圧着処理は、プレスローラ等の圧着手段を使用して行うことができるが、このとき、プレスローラ等の圧着範囲が、前記収納部１１の外周縁から前記間隙Ｇ１，Ｇ２の範囲を超えて、紙おしぼり包装物２０の包装体２２内の紙おしぼり２１にわたらないようにすることが好ましい。こうすれば、紙おしぼり包装物２０において比較的厚肉部分となる紙おしぼり２１部分には、プレスローラ等による圧着が行われることがなく、圧着処理を円滑に行うことができる。
【００５６】
また、このとき、プレスローラ等の圧着範囲が、前記収納部１１の外周縁から前記紙おしぼり包装物２０の包装体２１の外周縁の手前までの範囲、即ち、前記間隙Ｇ１，Ｇ２の範囲よりも若干手前の範囲となるようにすることも好ましい。こうすれば、紙おしぼり包装物２０の包装体２２、即ち、紙おしぼり包装物２０のいずれの場所にもプレスローラ等による圧着が行われることがなく、圧着処理を一層円滑に行うことができる。或いは、プレスローラ等の圧着範囲が、前記収納部１１の外周縁から前記取出口部１２の外周縁までの範囲、即ち、収納部１１の外周縁と取出口部１２の外周縁との間の長方形環状部分となるようにすることも好ましい。こうすれば、一方のシート体１０Ａをプレスローラ等により圧着する際の圧着範囲を、前記取出口部１２の外周縁により確実に把握することができる。なお、この場合、圧着処理を円滑に行うため、紙おしぼり包装物２０は、少なくとも紙おしぼり２１の外周縁が取出口部１２の外周縁より内側に配置されるようにすることが好ましい。
【００５７】
一方、送風部１０は、紙おしぼり包装物２０の紙おしぼり２１の外周縁を前記取出口部１２の外周縁の内側に完全に配置し、かつ、紙おしぼり包装物２０の包装体２２の外周縁の少なくとも一部を収納部１１の外周縁と取出口部１２の外周縁との間の範囲に配置した状態で、一対のシート体１０Ａ，１０Ｂの外面において収納部１１以外の全面と、収納部１１の外周縁と取出口部１２の外周縁との間の範囲の少なくとも一部とをプレスすることにより、一対のシート体１０Ａ，１０Ｂを互いに接着または粘着して貼着することもできる。例えば、実施の形態１では、紙おしぼり包装物２０の包装体２２の長さ方向両端縁側の一定部分（シール部２２ａの一部）が、収納部１１の外周縁と取出口部１２の外周縁との間の範囲に配置されている。こうすれば、送風部１０の取出口部１２を開封したときに、紙おしぼり包装物２０の包装体２２の長さ方向両端縁側の前記一定部分が、送風部１０において取出口部１２の長さ方向両端縁と収納部１１の長さ方向両端縁との間の部分に係止される。その結果、紙おしぼり包装物２０が送風部１０の取出口部１２（開封口）から自重で簡単に脱落することを効果的に防止することができる。なお、本発明に係るおしぼり付きうちわは、送風部１０の取出口部１２の外周縁の内側に紙おしぼり包装物２０の包装体２２の外周縁の全体が配置されるよう構成することも無論可能である。
【００５８】
上記のように、いずれの場合も、送風部１０の収納部１１の外周縁より内側に、紙おしぼり包装物２０の紙おしぼり２１の外周縁が配置されるようにすることが好ましい。こうすれば、送風部１０の収納部１１の外周縁と紙おしぼり包装物２０の紙おしぼり２１の外周縁との間に形成される間隙Ｇ１，Ｇ２が、プレス時にプレスローラ等が走行するプレス許容部分（プレスしろ）となる。即ち、この間隙Ｇ１，Ｇ２部分には、紙おしぼり包装物２０において比較的厚肉となる紙おしぼり２１は少なくとも存在しないため、プレスローラ等によるプレス処理を円滑に行うことができる。
【００５９】
上記のようにして、実施の形態１のおしぼり付きうちわが完成する。なお、送風部１０の取出口部１２は、前記一方のシート体１０Ａに予め形成しておくことができる。また、前記指挿入孔１３は、両シート体１０Ａ，１０Ｂを貼着して一体化すると共に、紙おしぼり包装物２０を収納部１１に収納した後、送風部１０の所定部分に穿孔して形成することができる。
【００６０】
ところで、送風部１０の収納部は、上記のように、長方形状以外の形状、例えば、略楕円形状とすることもできる。この場合の楕円形状は、紙おしぼり包装物２０の包装体２２の外形を完全に内包自在な大きさの略楕円形状（これに相当する多角形状やスロット状や略角丸長方形状も含む）とすることができる。
【００６１】
実施の形態２
図６は本発明の実施の形態２に係るおしぼり付きうちわの平面図である。
実施の形態２に係るおしぼり付きうちわは、実施の形態１に係るおしぼり付きうちわの送風部１０から指挿入穴３を省略し、その代わりに取っ手状の操作部５１を取付けたものである。これ以外の構成は、実施の形態１に係るおしぼり付きうちわと同様である。そして、使用者が送風部１０の操作部５１を手により把持して送風部１０を扇げるようになっている。このとき、送風部１０は、それ自体の剛性でその平板形状を維持し、使用者による扇動動作（扇ぐ動作）により送風機能を発揮するようになっている。なお、前記操作部５１は、その基端側（送風部１０への取付側）をクリップ構造とし、そのクリップ構造により送風部１０の下端を挟持すると共に、そのクリップ構造部分を送風部１０に接着等して、送風部１０に固定することができる。
【００６２】
効果
実施の形態１または２に係るおしぼり付きうちわは、上記のように構成したため、うちわ本来の送風機能や紙おしぼり本来の清浄化機能等を阻害することなく、紙おしぼりとうちわとを一体化して、その取り扱い、使い勝手、利便性等を向上すると共に、必要時に紙おしぼりをうちわから取出して簡単に使用することができる。また、通常の紙おしぼり包装物２０（包装体２２に紙おしぼり２１を収容して包装したもの）を使用して、簡単におしぼり付きうちわを形成することができる。そして、うちわを使用して送風することによる納涼効果と、必要時におしぼりを使用して手等を拭くことによる清浄効果とを兼備することができる。特に、花火大会や盆踊り等の夏季に開催されることが多いイベントは、外気温度が高く、かつ、水の確保も難しいため、本実施の形態に係るおしぼり付きうちわが非常に重宝なものとなる。
【００６３】
更に、実施の形態１または２に係るおしぼり付きうちわは、一対のシート体１０Ａ，１０Ｂを貼着することにより、簡単に送風部１０を形成することができる。また、一対のシート体１０Ａ，１０Ｂを貼着する際に、非貼着部としての収納部１１が自動的に形成されるため、特別な収納部用の構造を必要としない。更に、紙おしぼり包装物２０の包装体２２内が真空であるため、一対のシート体１０Ａ，１０Ｂをプレスにより接着等して貼着する際に、プレスローラ等が紙おしぼり包装物２０の包装体２２を通過したとしても、紙おしぼり包装物２０の包装体２２が内部の空気により破談等するおそれがない。即ち、一対のシート体１０Ａ，１０Ｂを接着剤等により貼着して一体化する場合、一対のシート体１０Ａ，１０Ｂ間に従来の（包装体２２内に空気を含んだ）紙おしぼり包装物２０を単純に挟んで、それらシート体１０Ａ，１０Ｂをプレスすることも可能であるが、この場合、一対のシート体１０Ａ，１０Ｂをプレスする際に、紙おしぼり包装物２０の包装体２２内部の空気により、包装体２２が破断するおそれがあるため、プレスによる送風部１０の形成作業が非常に困難となる。なお、実施の形態１または２に係るおしぼり付きうちわは、これ以外にも、上述の各種特有の効果を発揮する。
【００６４】
変更例
本発明に係るおしぼり付きうちわは、以下のように構成することもできる。
まず、本発明に係るおしぼり付きうちわは、実施の形態１または２の構成において、紙おしぼり包装物２０乃至紙おしぼり２１の重心位置が、送風部１０の重心位置より送風部１０の基端側に位置するよう、紙おしぼり包装物２０乃至紙おしぼり２１を送風部１０に配置することが好ましい。こうすると、紙おしぼり２１の重心位置が、送風部１０の重心位置より送風部１０の基端側に位置するため、送風部１０を扇ぐ際の重心位置が送風部１０の基端側となり、送風部１０による送風操作を円滑に違和感なく行うことができる。
【００６５】
また、本発明に係るおしぼり付きうちわは、実施の形態１または２の構成において、紙おしぼり２１に、レモングラス、ペパーミント、シトロネラ、レモンユーカリ、ティートリー及びゼラニウムのうちの少なくとも１種からなる天然芳香成分を含浸させることができる。この場合、これらの天然芳香成分は、例えば、アロマオイルの希釈液乃至精油の希釈液または水溶液として、紙おしぼり２１に含浸させることができる。こうすると、これらの天然芳香成分が、防虫効果（虫除け効果）等を有するため、使用者が皮膚等を紙おしぼり２１により拭くことで、その天然芳香成分を皮膚等に塗布し、屋外において効果的に虫除けを行うことができる。また、これらの天然芳香成分は、人体に無害であり、かつ、皮膚等にも優しいものであるため、使用者が、安心して皮膚等に塗布することができる。
【００６６】
更に、本発明に係るおしぼり付きうちわは、実施の形態１または２の構成において、紙おしぼり２１に化粧用パック成分または化粧水成分を含浸させることもできる。なお、かかる成分としては、例えば、保湿成分としてのＢＧ、グリセリン、ＰＣＡ−Ｎａや、保湿抗菌成分としてのベンチレングリコール、クオタニウム−７３や、抗菌抗炎症成分としてのオウバクエキス、シコンエキスや、保護収斂成分としてのアラントインや、ｐＨ調整剤としてのクエン酸、クエン酸Ｎａや、成分安定剤としての三リン酸５Ｎａ等がある。こうすると、紙おしぼり２１に含浸した化粧用パック成分または化粧水成分が、保湿効果、抗菌効果、抗炎症効果等の美肌効果等の好ましい効果を発揮するため、使用者が、紙おしぼり２１を送風部１０から取出して皮膚等を拭いたりして塗布することで、前記成分により、前記美肌効果等の好ましい効果を発揮することができる。
【００６７】
ところで、本発明に係るおしぼり付きうちわは、上記実施の形態のように紙おしぼり包装物２０を送風部１０に一体的に設けるのではなく、紙おしぼり単体を送風部１０に一体的に設けるよう構成することも可能である。例えば、送風部を、紙おしぼりを収納するための空間を形成する収納部と、前記収納部に対応して設けられ、前記収納部から紙おしぼりを取出すべく開封自在とされた取出口部とを含むよう構成する。また、前記送風部の収納部を、前記取出口部の非開封状態では前記紙おしぼりを略液密及び略気密状態で収納自在となるよう構成する。
【００６８】
また、本発明に係るおしぼり付きうちわでは、送風部の取出口部は、上記実施の形態のように長方形状とする以外に、紙おしぼり包装物または紙おしぼりを取出し自在とする限りにおいて、送風部の収納部に対応する位置に、スリット状またはスロット状に設けたものとすることもできる。更に、送風部の収納部または取出口部には、紙おしぼり包装物または紙おしぼりを取出した後、おみくじやくじ類が現れるよう、収納部や取出口部の内面におみくじやくじ類を記載することもできる。更にまた、本発明に係るおしぼり付きうちわは、一対のシート体間に中骨を挟んだ通常タイプのうちわに具体化することもできる。この場合、中骨と一方のシート体との間に収納部を形成し、その一方のシート体に取出口部を形成することができる。或いは、中骨の収納部部分を切除して、一対のシート体間に収納部を設けることもできる。
【図面の簡単な説明】
【００６９】
【図１】図１は本発明の実施の形態１に係るおしぼり付きうちわの平面図である。
【図２】図２は本発明の実施の形態１に係るおしぼり付きうちわの取出口部を開封して収納部から紙おしぼり包装物を取出した状態を示す斜視図である。
【図３】図３は本発明の実施の形態１に係るおしぼり付きうちわの横断面を示し、（ａ）は図１のＡ−Ａ線断面図、（ｂ）は（ａ）の要部を拡大して示す断面図である。
【図４】図４は本発明の実施の形態１に係るおしぼり付きうちわの縦断面を示し、（ａ）は図１のＢ−Ｂ線断面図、（ｂ）は（ａ）の要部を拡大して示す断面図である。
【図５】図５は本発明の実施の形態１に係るおしぼり付きうちわの送風部の収納部及び取出口部と紙おしぼり包装物との位置関係を示す平面図である。
【図６】図６は本発明の実施の形態２に係るおしぼり付きうちわの平面図である。
【符号の説明】
【００７０】
１０：送風部、１０Ａ，１０Ｂ：シート体、１１：収納部、１２：取出口部
１２ａ：ヒンジ部、１２ｂ：切離部、１２ｃ：つまみ部、１２ｄ：視認窓
２０：紙おしぼり包装物、２１：紙おしぼり、２２：包装体
Ｇ１，Ｇ２：間隙
【図１】
0003108194.tif 000003
【図２】
0003108194.tif 000004
【図３】
0003108194.tif 000005
【図４】
0003108194.tif 000006
【図５】
0003108194.tif 000007
【図６】
0003108194.tif 000008